(57)【要約】      （修正有）【課題】構造上の設計が合理的で、使用、携帯に便利、保温効果も良く、不意に蓋が開くことを防止できるロックボタン位置制限式蓋を提供する。【解決手段】蓋本体のカバーと蓋の元部分の端部をヒンジで接続し、ヒンジの反対側にロック機構があり、対応する蓋の元部分４にはロックボタンを有し、スライダーボタン６のパターがロックボタンスロットを通してロックブロック８と連結し、ロックブロックはロックブロック溝に設置され、ロックボタンの下にロック解除溝を設置し、ロックブロック側にボール穴を設置し、ボール穴の中にネジバネとボール球を有し、ボール球がネジバネを通してロックブロック溝と相対し、相対するロックブロック溝には定位溝が設置され、ロックボタンのロック解除溝の場所には突起があり、突起とロックブロックとが相対する。スライダーボタンがロックブロック溝を移動して突起のロックとロックの解除を行う。【選択図】図５
0003208859.tif 000002
【実用新案登録請求の範囲】
【請求項１】
ロック機能が付いている蓋の一種であり、蓋本体のカバー（１）と、蓋の元部分（４）の端部が接続されており、その接続部分には、ねじりバネヒンジがあり、蓋の元部分（４）には水孔を有し、蓋本体のカバー（１）と蓋の元部分（４）の接続部分のヒンジの反対側にはロック機構（１０１）があり、対応する蓋の元部分（４）にはロックボタン（７）を有しており、スライダーボタン（６）のパターがロックボタン（７）のロックボタンスロットを通し、ロックブロック（８）と連結し、ロックブロック（８）は、ロックボタンスロットのロックブロック溝に設置され、ロックブロック（８）の下にロック解除溝を設置し、ロックブロック側にボール穴を設置し、そのボール穴の中にネジバネ（９）とボール球（１０）を有し、ボール球（１０）がネジバネ（９）を通して、ロックブロック（８）のロックブロック溝と相対して、相対する処のロックブロック溝には定位溝が設置され、ロックボタン（７）のロック解除溝の場所に突起があり、突起とロックブロック（８）は相対していることを特徴とするロックボタン位置制限式蓋。
【請求項２】
前記蓋の元部分（４）に、穴がある水飲みパーツが設定されており、該水飲みパーツは、蓋の元部分（４）と一体とされ、水飲みパーツにおけるコップ側の穴にパッキン（５）が備えられ、蓋本体のカバー（１）側には飲み口が備えられ、水を通す穴と空気を通す穴を有し；水飲みパーツとセットとされる蓋本体のカバー（１）に蓋カバー（２）があり、蓋カバー（２）には密封のカバー（３）があることを特徴とする請求項１に記載のロックボタン位置制限式蓋。
【請求項３】
前記ロックブロック（８）の両側に左右対称にロックブロック溝が設けられていることを特徴とする請求項１に記載のロックボタン位置制限式蓋。
【請求項４】
前記ロックボタン（７）のロック解除溝の中に圧縮ボタンがあり、その圧縮ボタンの両側にロックボタン、蓋の元部分（４）のロックボタンが相対することを特徴とする請求項１に記載のロックボタン位置制限式蓋。
【考案の詳細な説明】
【技術分野】
【０００１】
本考案は、水筒と水筒の蓋に関係あり、ロックボタン位置制限式蓋である。
【背景技術】
【０００２】
保温性のあるボトルは、コップの１種類である。一般的には、陶磁器、ステンレス、ガラス等の材料により作られ、その上に真空加工するようである。真空技術はすでに成熟してきている。保温ボトルの蓋の構造により、保温の性能が左右されることがある。その構造もいろいろある。例えば、中国特許文献の中に申請号２００９２０１８８２８６．５、授権公告日２０１０年９月８日、実用新案名称は“片手で蓋を開けられるボトル”がある。このボトルは片手で蓋を開閉することが可能である。それに基づいて、更に改良している。例えば、中国特許文献の中に申請号２０１４２０３８５１６５．０、授権公告日２０１５年１月７日、実用新案名称“保温杯杯蓋”がある；このボトルは、蓋の上と下、及び上と下の蓋の間にロックと連結構造がある。この構造には、第一ボタン、第二ボタンと回復ネジバネがあり、上蓋には上ウォールがあり、下蓋には下ウォールがあり、第二ボタンは、上ウォールと下ウォールの空間中に、第一ボタンは、第二ボタンの外側にあり、第一ボタンと第二ボタンは軸を介して下壁の縁に連結され、しかも、第一ボタンは、軸の方向に、第二ボタンの外側に上下動かすことは可能；第一ボタンは軸の下の内側に上から下に、凹溝と凸台があり；下蓋の下ウォール壁に第一、第二ストッパーが設置してある。
【先行技術文献】
【特許文献】
【０００３】
【特許文献１】中国専利文献中披露、申請号２００９２０１８８２８６．５号公報
【特許文献２】中国専利文献中披露、申請号２０１４２０３８５１６５．０号公報
【考案の概要】
【考案が解決しようとする課題】
【０００４】
但し、その構造では、ボタンのストップ機能が弱く、安易に開けられ、保温性と携帯性には影響があると判断する。
【０００５】
そこで、上述した欠点を克服するために、本実用新案の目的は、新しい構造を提案する。その構造を実用することで、蓋が不意に開くことを無くすることが実現する。
【課題を解決するための手段】
【０００６】
蓋にはロックボタンがあり、蓋のカバーの一辺と蓋の元部分の一辺とヒンジ連結し、ヒンジ連結の処にネジ入りバネがあり、蓋の元部分には、水孔を有し、ヒンジの処の反対側の蓋のカバーには、ロックバックルがあり、ロックバックルが対応する蓋の元部分側にはロックボタンがあり、ロックボタンは軸ピンによって蓋の元の部分のロックボタン溝の中に固定され、蓋を閉じるとき、ロックボタンは軸ピンを介して回転させられ、ロックボタンとロックバックルと合わせる。要するにロックされる。この構造設計の要は、ロックボタンの蓋の元の部分にはスライダーボタンがあり、スライダーボタンのバターがロックボタン溝を通して、ロックボタン溝の中にあるロックブロックと連結し、ロックブロックは、ロックボタン溝の中のロックブロック溝の中に設置され、ロックブロックの下にある開口の場所にロック解除溝が設置され、ロックブロックのサイドにボール穴が設けられ、中にはネジバネとボール球があり、ボール球はネジバネを介して、ロックブロック溝と接触し、接触する処に位置決め溝があり、ロック解除溝にストッパー付突起があり、ストッパー付突起はロックブロックと相対する。ロックされるとき、スライダーボタンを通して、ロックブロックを動かし、ロックブロックとロックボタンのストッパー付突起と当たり、最後まで押せなくなる；スライダーボタンを動かし、ロック解除溝とロックボタンの位置を移動し、ロックボタンと蓋本体のカバーの突起と合わせるとき、ロックボタンは最後まで押す操作が可能になり、蓋を開けることができる。
【０００７】
蓋の元部分にある水孔には水飲みパーツが設置され、水飲みパーツが蓋の元部分と一体になり、水飲みパーツのコップ側の外径にパッキンがあり、蓋本体のカバーの処に飲み口があり、水飲みパーツには、水飲み用孔と空気穴がある；水飲みパーツの内径に接する蓋本体のカバーに蓋カバーがあり、蓋カバーにも密封蓋がある。蓋本体のカバーと蓋の元部分を合わせる時、密封蓋と水飲みパーツの内径、及び水飲みの水飲み用孔と空気穴を密封させ；その蓋と水筒本体と締め付ける時、パッキンは水筒の内径と密封させる。
【０００８】
ロックブロックの両側に対称的ネジバネとボール球が設置され、ロック解除溝の両側に対称的に位置決め溝がある。その構造で、蓋を開閉する時に、もっとスムーズになる効果がある。
【０００９】
ロック解除溝の中に圧縮バネがあり、圧縮バネの両サイドにそれぞれ、ロックボタンと蓋の元部分の外径にあるロックボタン溝とがかみ合う。蓋を開閉する動作がもっとスムーズになる。
【考案の効果】
【００１０】
本実用新案は、構造上の設計は合理的で、使用、形態も便利、保温効果も良くなる。不意に蓋を開けることを防止することが可能になる。
【図面の簡単な説明】
【００１１】
【図１】本実用新案の開いた状態の概略正面図である。
【図２】本実用新案の閉じた状態の概略正面図である。
【図３】本実用新案の開いた状態の概略平面図ある。
【図４】本実用新案の蓋本体のカバーを見上げた状態の図である。
【図５】本実用新案のロックボタンの内部構造図である。
【図６】本実用新案のロックボタンの分解図である。
【考案を実施するための形態】
【００１２】
現在実用新案の構造及び使用を図面と共に更に記載します。図１−６に示すように、蓋本体のカバー１と蓋の元部分４の一端がねじりバネを有するヒンジジョイントで接続され、蓋の元部分には水孔があり、ヒンジの反対側に対称なロックバックル１０１が設けられている。
【００１３】
対応する蓋の元部分４にはロックボタン７を有しており、スライダーボタン６のパターがロックボタン７のロックボタンスロットを通し、ロックブロック８と連結し、ロックブロック８は、ロックボタンスロットのロックブロック溝に設置され、ロックブロック８の下にロック解除溝を設置している。
【００１４】
ロックブロック側にはボール穴とスプリングボール１０が設けられており、ボール穴の中にネジバネ９とボール球１０を有し、ボール球１０がネジバネ９を通して、ロックブロック８のロックブロック溝と相対して、相対する処のロックブロック溝には定位溝が設置されている。ロックボタン７のロック解除溝の場所には突起があり、突起とロックブロック８は相対している。
【００１５】
同時に、蓋本体のカバー１には飲料水用の水孔があり、単一のまとまりとしてのカバーは、カップ本体側部材は、パッキン５の外径を有し、蓋本体のカバー側には飲料水リップ部材が設けられ、飲料水の孔を有するパネルと、蓋カバー２と水に対応する内径は、シールキャップ３でカバーしている。
【００１６】
蓋本体のカバー１と蓋の元部分４は、スライダーボタン６がロックブロック８の溝を移動して突起をロックすることにより、ロックボタン７が押されることはできない。スライダーボタン６を動かすことにより、ロックブロック８がロック溝のロックを解除するとき、ロックボタン７を作動するように押すことができ、ピンを介して回転させ、反転するロックボタンを発生する。
【００１７】
上記のように、蓋本体のカバー１と蓋の元部分４も同様に、タイムリーなバックルとすると、突起とロックブロック溝のロックを解除するために、スライダーボタンを移動し、ロックボタン７を回転させ、蓋本体のカバーと係合することができる。
【００１８】
スライダーボタン６を上方向に移動させると、ロックボタン７は、ロック解除状態になり、その時にロックボタン７を押すと、蓋全体を開けることができる。
【産業上の利用可能性】
【００１９】
本実用新案は、構造上の設計は合理的で、使用、形態も便利、保温効果も良く、不意に蓋を開けることを防止することが可能であり、水筒と水筒の蓋の関係の全般に適用できる。
【符号の説明】
【００２０】
１    蓋本体のカバー
１０１    ロックバックル
２    蓋カバー
３    密封蓋
４    蓋の元部分
５    パッキン
６    スライダーボタン
７    ロックボタン
８    ロックブロック
９    ネジバネ
１０    ボール球
【図１】
0003208859.tif 000003
【図２】
0003208859.tif 000004
【図３】
0003208859.tif 000005
【図４】
0003208859.tif 000006
【図５】
0003208859.tif 000007
【図６】
0003208859.tif 000008